(57)【要約】【課題】異常停止時の撮像装置の動作状況を使用者に知らせ、使用者に適切な処理を促すことが出来る撮像装置を提供する。【解決手段】動画の記録状態を不揮発性メモリに保持しておく動画保持手段と、動画記録開始時に動画の記録を開始した旨の情報をセットし、正常に動画記録が終了した場合に動画記録終了の旨の動画記録情報をセットする動画記録情報セット手段と、ＦＡＴファイルシステムを使用して動画ファイルを記録する動画ファイル記録手段と、動画記録開始時にファイル管理情報の一部を前記不揮発性メモリに記憶する記憶手段とを有し、動画記録情報を用いて撮像蔵置起動時に動画の記録状態を検出するとともに、動画撮影時の前記撮像装置の異常終了による無効な動画データの一部がメディア上に存在する場合には、動画データに対して終了処理を施す。【選択図】        図１
2004289202.tif 000002
【特許請求の範囲】
【請求項１】
動画を記録する動画記録手段と、
前記動画の記録状態を不揮発性メモリに保持しておく動画保持手段と、
前記動画記録開始時に前記動画の記録を開始した旨の情報をセットし、正常に前記動画記録が終了した場合に前記動画記録終了の旨の動画記録情報をセットする動画記録情報セット手段とを有し、
前記動画記録情報を用いて撮像装置起動時に前記動画の記録状態を検出することを特徴とする撮像装置。
【請求項２】
前記撮像装置起動時に前記動画の記録が正常に終了していないと検出した場合には、前記動画の記録が正常に終了していない旨をユーザに表示する警告表示手段をさらに有することを特徴とする請求項１記載の撮像装置。
【請求項３】
前記動画の記録状態を保持しておく前記不揮発性メモリは、画像記録用のメモリであることを特徴とする請求項１記載の撮像装置。
【請求項４】
前記動画の記録状態を保持しておく前記不揮発性メモリは、ＥＥＰＲＯＭであることを特徴とする請求項１記載の撮像装置。
【請求項５】
ＦＡＴファイルシステムを使用して動画ファイルを記録する動画ファイル記録手段と、
前記動画記録開始時にファイル管理情報の一部を前記不揮発性メモリに記憶する記憶手段とを有し、
前記動画撮影時の前記カメラの異常終了による無効な動画データの一部がメディア上に存在する場合には、前記動画データに対して終了処理を施すことを特徴とする請求項１記載の撮像装置。
【請求項６】
動画記録が可能な撮像装置に用いられるファイルシステム保護方法であって、
動画の記録状態を不揮発性メモリに保持しておく動画保持ステップと、
前記動画記録開始時に前記動画の記録を開始した旨の情報をセットし、正常に前記動画記録が終了した場合に前記動画記録終了の旨の動画記録情報をセットする動画記録情報セットステップと、
ＦＡＴファイルシステムを使用して動画ファイルを記録する動画ファイル記録ステップと、
前記動画記録開始時にファイル管理情報の一部を前記不揮発性メモリに記憶する記憶ステップとを有し、
前記動画記録情報を用いて前記撮像装置起動時に前記動画の記録状態を検出するとともに、前記動画撮影時の前記撮像装置の異常終了による無効な動画データの一部がメディア上に存在する場合には、前記動画データに対して終了処理を施すことを特徴とするファイルシステム保護方法。
【請求項７】
前記撮像装置起動時に前記動画の記録が正常に終了していないと検出した場合には、前記動画の記録が正常に終了していない旨をユーザに表示する警告表示ステップとをさらに有することを特徴とする請求項６記載のファイルシステム保護方法。
【発明の詳細な説明】
【０００１】
【発明の属する技術分野】
本発明は、デジタルカメラ等にかかり、異常停止時のカメラの動作状況を使用者に知らせ、使用者に適切な処理を促す撮像装置およびファイルシステム保護方法に関する。
【０００２】
【従来の技術】
近年、動画の記録が可能なデジタルカメラも多数存在する。また、デジタルカメラで主に使用されているフラッシュメモリを使用した記録メディアの容量も飛躍的に増加し、記録可能な時間もそれに伴って増加している。このようなデジタルカメラは撮影時には乾電池や充電池などのバッテリで動作する事が一般的である。通常は、バッテリでの動作中にバッテリの残容量が減少し、一定量以下になった場合には、自動的に記録処理が中断され、記録中であった画像に対して、自動的に終了処理を施し、カメラの電源が自動的にオフされる。
【０００３】
しかし、記録中にカメラからバッテリを抜き出した場合、ＡＣアダプタを取り外した場合、あるいは停電などによるカメラ側で制御不可能な外因による電源供給の遮断が行われた場合には、カメラで記録中のファイルに対して正常な終了処理を施すことが出来ず、記録中であったファイルの再生を行う事が出来ない。また、記録中であったファイルの再生が出来ないにもかかわらず、実際にはメディア上には記録中であったデータは存在するため、その後メディアの使用可能な容量が減少し、記録枚数、記録時間などが減少する。特に長時間の動画の記録中であった場合には、膨大なサイズの使用不可能領域が生じることになる。また、カメラを使用しているユーザにとっては、メディア上にファイルが存在しないにも関わらず、メディアの使用可能容量が減ることになる。
【０００４】
上記従来技術例として、カメラの異常を検出した後に、異常状態である旨を不揮発性メモリに記録し、異常停止が解除された後にカメラの動作状況を使用者に知らせるようにし、使用者に適切な処理を促すことができる「デジタルカメラ」がある（例えば、特許文献１参照）。
【０００５】
【特許文献１】
特開２００１−１９７３５３号公報
【０００６】
【発明が解決しようとする課題】
しかしながら、特許文献１記載のデジタルカメラでは、連続記録中に異常停止した場合に使用者に知らせることは出来るが、連続記録中であったデータの修復を行うことはできない。
【０００７】
よって、動作開始時に動作状況を記録することで、異常検出が困難な場合でも、異常停止時のカメラの動作状況を使用者に知らせ、使用者に適切な処理を促すことが出来るとともに、連続記録中のデータ修復を可能とする撮像装置が望まれる。
【０００８】
本発明は、上記事情に鑑みてなされたものであり、動画記録開始時に動画記録開始された旨の情報をカメラ内部の不揮発性メモリに記録し、動画撮影が終了時に記録終了した旨の情報を不揮発性メモリに記録しておくことで、カメラの起動時に動画の記録が正常に終了しなかったことを検出でき、カメラ使用者に警告可能となる、撮像装置およびファイルシステム保護方法を提供することを目的とする。
【０００９】
また、本発明は、動画記録が正常終了していないと検出された場合に、メディアに存在する動画データに対して動画の終了処理を施すことで、撮影途中で正常に終了処理が施されずに終了した場合でも、動画ファイルの再生が可能となる、撮像装置およびファイルシステム保護方法を提供することを目的とする。
【００１０】
【課題を解決しようとする手段】
かかる目的を達成するために、請求項１記載の撮像装置は、動画の記録を行う動画記録手段と、動画の記録状態を不揮発性メモリに保持しておく動画保持手段と、動画記録開始時に動画の記録を開始した旨の情報をセットし、正常に動画記録が終了した場合に動画記録終了の旨の動画記録情報をセットする動画記録情報セット手段とを有し、動画記録情報を用いて撮像装置起動時に動画の記録状態を検出することを特徴とする。
【００１１】
請求項２記載の撮像装置は、請求項１記載の撮像装置において、前記撮像装置起動時に動画の記録が正常に終了していないと検出した場合には、前記動画の記録が正常に終了していない旨をユーザに表示する警告表示手段をさらに有することを特徴とする。
【００１２】
請求項３記載の撮像装置は、請求項１記載の撮像装置において、動画の記録状態を保持しておく不揮発性メモリは、画像記録用のメモリであることを特徴とする。
【００１３】
請求項４記載の撮像装置は、請求項１記載の撮像装置において、前記動画の記録状態を保持しておく不揮発性メモリは、ＥＥＰＲＯＭであることを特徴とする。
【００１４】
請求項５記載の撮像装置は、請求項１記載の撮像装置において、ＦＡＴファイルシステムを使用して動画ファイルを記録する動画ファイル記録手段と、動画記録開始時にファイル管理情報の一部を前記不揮発性メモリに記憶する記憶手段とを有し、動画撮影時の前記カメラの異常終了による無効な動画データの一部がメディア上に存在する場合には、動画データに対して終了処理を施すことを特徴とする。
【００１５】
請求項６記載のファイルシステム保護方法は、動画記録が可能な撮像装置に用いられるファイルシステム保護方法であって、動画の記録状態を不揮発性メモリに保持しておく動画保持ステップと、動画記録開始時に動画の記録を開始した旨の情報をセットし、正常に動画記録が終了した場合に動画記録終了の旨の動画記録情報をセットする動画記録情報セットステップと、ＦＡＴファイルシステムを使用して動画ファイルを記録する動画ファイル記録ステップと、動画記録開始時にファイル管理情報の一部を前記不揮発性メモリに記憶する記憶ステップとを有し、動画記録情報を用いて撮像装置起動時に前記動画の記録状態を検出するとともに、動画撮影時の前記撮像装置の異常終了による無効な動画データの一部がメディア上に存在する場合には、動画データに対して終了処理を施すことを特徴とする。
【００１６】
請求項７記載のファイルシステム保護方法は、請求項６記載のファイル保護方法において、撮像装置起動時に動画の記録が正常に終了していないと検出した場合には、動画の記録が正常に終了していない旨をユーザに表示する警告表示ステップとをさらに有することを特徴とする。
【００１７】
【発明の実施の形態】
以下、本発明の実施形態であるデジタルカメラについて、添付図面を参照にしながら詳細に説明する。
【００１８】
図１はデジタルカメラの構成ブロック図である。本発明の実施形態であるデジタルカメラの基本動作例について図１を参照して説明する。
【００１９】
デジタルカメラは、レンズ系２１、絞り・フィルタ部を含むメカ機構、ＣＣＤ２、ＣＤＳ回路２２、可変利得増幅器（ＡＧＣアンプ）２３、Ａ／Ｄ変換機２４、ＩＰＰ４、ＪＰＥＧコーダ５、ＤＲＡＭ１、ＣＰＵ９、ＤＲＡＭ１、表示部である液晶モニタ８およびサブＬＣＤ１０、操作部１１、ＳＧ（制御信号生成）部７、ストロボ装置（図示せず）、バッテリ１３、ＤＣ−ＤＣコンバータ１２、ズームドライバ１５、ズームモータ１８、フォーカスドライバ１６、フォーカスモータ１９、ＰＣカードインタフェース（図示せず）およびＰＣカードインタフェースを介して着脱可能なＰＣカード６、ＵＳＢコントローラ（図示せず）、コネクタ（図示せず）等によって構成されている。
【００２０】
レンズユニットは、レンズ系２１、絞り・フィルタ部等を含むメカ機構からなり、メカ機構のメカニカルシャッタは２つのフィールドの同時露光を行う。
【００２１】
フォーカスドライバ１６は、ＣＰＵ９から供給される制御信号に従って、パルスモータを駆動してフォーカスレンズ系を光軸方向に移動させる。ズームドライバ１５はＣＰＵ９から供給される制御信号に従って、ズームレンズ系を光軸方向に移動させる。また、絞りドライバ１７はＣＰＵ９から供給される制御信号に従って、絞りの絞り値を設定する。
【００２２】
ＣＣＤ（電化結合素子）２は、レンズユニットを介して入力した映像を電気信号（アナログ画像データ）に変換する。ＣＤＳ（相関２重サンプリング）回路２２は、ＣＣＤ撮像素子に対する低雑音化のための回路である。
【００２３】
また、ＡＧＣアンプ２３はＣＤＳ回路２２で相関２重サンプリングされた信号のレベルを補正する。さらにＡ／Ｄ変換器２４は、ＡＧＣアンプ２３を介して入力したＣＣＤ２からのアナログ画像データをデジタル画像データに変換する。すなわちＣＣＤ２の出力信号は、ＣＤＳ回路２２およびＡＧＣアンプ２３を介し、またＡ／Ｄ変換機２４により最適なサンプリング周波数にてデジタル信号に変換される。
【００２４】
デジタル信号処理部であるＩＰＰ４は、Ａ／Ｄ変換機２４から入力したデジタル画像データについて、ガンマ補正、色分離等の通常カメラ信号処理がなされＹ（輝度）、Ｃｂ、Ｃｒ（色差）信号が作成される。
【００２５】
ＪＰＥＧコーダ５は、ＪＰＥＧ準拠の画像圧縮、伸張の一過程である直交変換並びに、ハフマン符号化・複合化を行う。さらに、圧縮処理された画像を、ＰＣカードインタフェースを介してＰＣカード６への記録、あるいはＰＣカード６からの読出しを行う。
【００２６】
ＣＰＵ９はＲＯＭ（図示せず）に格納されたプログラムに従ってＲＡＭ（図示せず）を作業領域として使用し、操作部からの指示等の外部動作指示に従い、デジタルカメラの全動作を制御する。
【００２７】
また、カメラ電源はバッテリ１３からＤＣ−ＤＣコンバータ１２に入力されデジタルカメラ内部に供給される。
【００２８】
表示部は、液晶モニタ８（ＬＣＤ）、ＬＥＤ等で実現され、撮影した画像データや、伸張処理された記録画像データ等の表示を行う。操作部は機能選択、撮影支持、およびその他の各種設定を外部から行うための釦を備えている。
【００２９】
着脱可能なＰＣカード６には、ＰＣカードインタフェースを介して、上記ＪＰＥＧコーダ５で圧縮処理された画像をＣＰＵによって所定のファイルフォーマット形式に整え記録される。また、逆にＰＣカード６に記録されている、所定のファイルフォーマット形式の画像データを、ＰＣカード６から読み出す。
【００３０】
次に、本発明の実施形態であるデジタルカメラの動作について、図２を参照に説明する。図２は動画記録情報をセットする、動画ステータス情報ブロックである。動画ステータス情報は、動画データが記録された最初のクラスタ番号を記録するエリアと、動画の記録状態をセットする動画状態フラグエリアとから構成され、図２の動画情報は、カメラ内蔵不揮発性メモリの所定の位置に格納される。
【００３１】
動画の記録が開始された時に、図２の動画状態フラグエリアに対して動画記録開始された事を示す所定のマークをセットする。また正常に動画の記録が終了した場合には、前記のマークをクリアする。もし動画記録が正常にしなかった場合には、カメラ起動時に図２の動画状態フラグは動画記録中状態にセットされたままであり、動画の記録が正常に終了しなかった事を検出する事ができる。
【００３２】
図３はＦＡＴファイルシステムで使用されるＦＡＴ連鎖を示すＦＡＴテーブルである。ＦＡＴファイルシステムでは、ＦＡＴの連鎖によってファイルが構成される。図３を例にしてＦＡＴ連鎖およびファイル構成方法を説明する。
【００３３】
ＦＡＴファイルシステムでは、ファイルシステム上の最小単位としてクラスタが使われる。例えば、クラスタサイズが１６ＫＢのメディア上では、クラスタサイズ以下のファイルを構成する場合には、１つのクラスタが使用される。また、クラスタサイズ以上のファイルを構成する場合には、クラスタを複数使用する。つまり１０ＫＢのファイルでは１クラスタを使用し、２０ＫＢのファイルでは２クラスタを使用する。図３のＦＡＴテーブル中の数字は、クラスタ番号を示し０からはじまる。クラスタ番号の最大値は、メディアサイズとクラスタサイズにより決定される。またクラスタ番号からそのクラスタが存在する論理アドレスを決定することができる。
【００３４】
図３では、クラスタ２→クラスタ３→クラスタ４→クラスタ１０→クラスタ１１→クラスタ１２→クラスタ１３の連鎖を示しているが、これは上記のクラスタの集合によって１ファイルを構成する事を示している。またファイルを構成する最終クラスタには、最終クラスタである事を示す値をセットする。つまり、図３の例では、クラスタ１３が最終クラスタとなる。実際のメディアへの書き込みは、ＲＡＭにクラスタサイズ分のデータが溜まった場合に行われる。また図３のＦＡＴテーブルは、メディア上に実際のデータを記述する度に更新される。
【００３５】
図４は動画ファイルの構成図である。動画ファイルはファイルヘッダ部、データ部、ＩＤＸ部から構成される。ファイルヘッダ部には、固定値となるデータおよび、ファイルサイズにより決定されるデータが記述される。データ部は、複数の画像フレームおよび音声フレームから構成されている。動画フレーム数は、記録時間とフレームレートにより決定される。ＩＤＸ部は、データ部の各々のフレームの開始位置を示すインデックス情報が記述されている。
【００３６】
また、ＦＡＴファイルシステムでは、ファイル名、ファイル先頭クラスタ番号、ファイルサイズ、記録日時、ファイル属性などを記述する領域があり、このデータに基づき、ファイルの操作を行っている。図５はそのデータの一部を抜き出したものである。
【００３７】
動画の記録が正常終了しなかった場合には、通常図４のＩＤＸ部およびファイルヘッダ部の一部が記録されない。また図５のファイル情報データも、ファイルサイズ等のデータが記述されない。
【００３８】
以下、ＦＡＴファイルシステムにおいて、動画データの終了処理を説明する。動画記録開始時に、図２の動画ステータス情報エリアに、動画ファイル先頭クラスタを記述しておき、カメラ起動時に図２の動画状態フラグが動画記録中の状態であれば、動画終了処理モードに入り、図２のクラスタ番号からファイル先頭クラスタが決定される。このファイル先頭クラスタからＦＡＴテーブルの連鎖を辿ることが可能である。
【００３９】
動画ファイルのデータ部には、実際の動画データが記録され、それぞれのフレームには、データ記録時にフレームサイズがセットされている。したがって、フレームを順次走査して行く事が可能である。フレームに記述されているフレームサイズと、ＦＡＴテーブルのＦＡＴ連鎖から、次フレームを順次決定していき、次フレームが決定できない状態になった場合を最終フレームとする。この時、各フレームのファイル先頭からのオフセットは既知となるので、ＩＤＸ部も作成可能となり、また全体のファイルサイズも決定できる。
【００４０】
全体のファイルサイズが決定すれば、ファイルヘッダ部のファイルサイズにより決定するデータも記述可能となり、また、図５のファイル情報も更新可能となり、ファイル終了処理が終了する。
【００４１】
以上のように本発明の実施形態によれば、撮影途中で正常に終了処理が施されずに終了した場合でも、動画ファイルの再生が可能となる撮像装置および撮像装置に用いられるファイルシステム保護方法が実現できる。
【００４２】
【発明の効果】
本発明の撮像装置およびファイルシステム保護方法によれば、動画記録開始時に動画記録開始された旨の情報を撮像装置内部の不揮発性メモリに記録し、動画撮影が終了時に記録終了した旨の情報を不揮発性メモリに記録しておくことを特徴とするので、撮像装置の起動時に動画の記録が正常に終了しなかったことを検出でき、撮像装置使用者に警告可能となる。
【００４３】
また、本発明の撮像装置およびファイルシステム保護方法によれば、動画記録が正常終了していないと検出された場合に、メディアに存在する動画データに対して動画の終了処理を施すことを特徴とするので、撮影途中で正常に終了処理が施されずに終了した場合でも、動画ファイルの再生が可能となる。
【図面の簡単な説明】
【図１】本発明の実施形態であるデジタルカメラの構成を示すブロック図である。
【図２】本発明の実施形態にかかる動画ステータス情報を示す概念図である。
【図３】本発明の実施形態にかかるＦＡＴテーブル図である。
【図４】本発明の実施形態にかかる動画ファイルの構成図である。
【図５】本発明の実施形態にかかるファイル情報の例を示す概念図である。
【符号の説明】
１  ＤＲＡＭ
２  ＣＣＤ
３  Ｆ／Ｅ
４  ＩＰＰ
５  ＪＰＥＧコーダ
６  ＰＣカード
７  ＳＧ部
８  液晶モニタ（ＬＣＤ）
９  ＣＰＵ
１０  サブＬＣＤ
１１  操作部
１２  ＤＣ／ＤＣコンバータ
１３  バッテリ
１４  ＡＣアダプタ
１５  ズームドライバ
１６  フォーカスドライバ
１７  絞りドライバ
１８  ズームモータ
１９  フォーカスモータ
２０  絞りモータ
２１  撮影レンズ
２２  ＣＤＳ
２３  ＡＧＣ
２４  Ａ／Ｄ
【図１】
2004289202.tif 000003
【図２】
2004289202.tif 000004
【図３】
2004289202.tif 000005
【図４】
2004289202.tif 000006
【図５】
2004289202.tif 000007